(57)【要約】【課題】プロジェクタをパーソナルコンピュータのモニタの代替として使用した場合であっても投影結果に悪影響が発生しないようにしたキーボード一体型プロジェクタ及びプロジェクタシステムを提供する。【解決手段】キーボート１１と、キーボードを搭載した筐体１２と、筐体１２内に収納されたプロジェクタ２０とを備えたものである。或いは、キーボードが搭載され、且つ、プロジェクタを収納するための凹部が形成された筐体１２と、筐体１２の凹部に着脱自在に装着されたプロジェクタ２０とを備えたものである。【選択図】図１
2008152340.tif 000002
【特許請求の範囲】
【請求項１】
キーボードと、
該キーボードを搭載した筐体と、
前記筐体内に収納されたプロジェクタと
を備えたことを特徴とするキーボード一体型プロジェクタ。
【請求項２】
キーボードと、
該キーボードが搭載され、且つ、プロジェクタを収納するための凹部が形成された筐体と、
前記筐体の凹部に着脱自在に装着されたプロジェクタと
を備えたことを特徴とするキーボード一体型プロジェクタ。
【請求項３】
前記筐体及び前記プロジェクタにそれぞれ無線通信手段を設け、前記筐体側の無線通信手段により操作信号を前記プロジェクタの無線通信手段へ送信することを特徴とする請求項１又は２記載のキーボード一体型プロジェクタ。
【請求項４】
請求項１〜請求項３の何れかに記載のキーボード一体型プロジェクタと、
該キーボード一体型プロジェクタと接続されたコンピュータとを備え、
該コンピュータは、前記キーボードの操作信号を受信し、その操作信号を前記プロジェクタの操作信号に変換して前記キーボード一体型プロジェクタのプロジェクタに送信することを特徴とするプロジェクタシステム。
【発明の詳細な説明】
【技術分野】
【０００１】
本発明は、キーボード一体型プロジェクタ及びプロジェクタシステムに関する。
【背景技術】
【０００２】
従来、プロジェクタとパーソナルコンピュータとはそれぞれ別の機器として機能しているものであるが、プロジェクタをパーソナルコンピュータの周辺機器の一種として例えばモニタの代替として使用することもできる（例えば特許文献１参照）。
【特許文献１】特開２００６−０１０９５０号公報
【発明の開示】
【発明が解決しようとする課題】
【０００３】
プロジェクタをパーソナルコンピュータのモニタの代替として使用した場合に、例えばプロジェクタをキーボードの前において映像を投射させた場合には、キーボードとスクリーンの間隔が狭くなり十分に投影用の距離を確保することが難しく、また、プロジェクタとキーボードとの距離が短く、キーボードを操作した際にプロジェクタに接触するような事態が起こりやすく、そのような場合には投影結果に悪影響が発生する可能性があるという問題点があった。
【０００４】
本発明は、上記のような問題点を解決するためになされたものであり、プロジェクタをパーソナルコンピュータのモニタの代替として使用した場合であっても投影結果に悪影響が発生しないようにしたキーボード一体型プロジェクタ及びプロジェクタシステムを提供することを目的とする。
【課題を解決するための手段】
【０００５】
本発明に係るキーボード一体型プロジェクタは、キーボードと、該キーボードを搭載した筐体と、前記筐体内に収納されたプロジェクタとを備えたものである。本発明においては例えばプロジェクタをパーソナルコンピュータのモニタの代替として使用した場合であっても、プロジェクタがキーボードの筐体内に収納されているので、従来のように、キーボードとスクリーンの間隔が狭くなるような事態は発生せず、また、キーボードを操作した際にプロジェクタに接触するような事態も発生せず、投影結果に悪影響が発生するおそれがなくなっている。更に、プロジェクタをキーボードの筐体内に収納したので、プロジェクタとパーソナルコンピュータとを繋ぐ配線が不要になり、ユーザーによる配線の煩わしさが無くなる。
【０００６】
また、本発明に係るキーボード一体型プロジェクタは、キーボードと、該キーボードが搭載され、且つ、プロジェクタを収納するための凹部が形成された筐体と、前記筐体の凹部に着脱自在に装着されたプロジェクタとを備えたものである。本発明においては、プロジェクタが筐体に着脱自在に装着されるので、プロジェクタを筐体に装着した状態においては、プロジェクタが筐体に収納された場合と同様な効果が得られ、また、プロジェクタを筐体から外して利用した場合には、プロジェクタを任意の位置に設置して投射することができるので、利便性に優れたものとなっている。
【０００７】
また、本発明に係るキーボード一体型プロジェクタは、前記筐体及び前記プロジェクタにそれぞれ無線通信手段を設け、前記筐体側の無線通信手段により操作信号を前記プロジェクタの無線通信手段へ送信する。本発明においては、筐体とプロジェクタとの間を無線に信号を授受するようにしたので、プロジェクタを筐体から外して任意の位置に配置して投射する際に信号線を配慮しなくて済むので、扱いが簡単なものとなっている。
【０００８】
また、本発明に係るプロジェクタシステムは、上記のキーボード一体型プロジェクタと、該キーボード一体型プロジェクタと接続されたコンピュータとを備え、該コンピュータは、前記キーボードの操作信号を受信し、その操作信号を前記プロジェクタの操作信号に変換して前記キーボード一体型プロジェクタのプロジェクタに送信する。本発明においては、キーボードの操作信号をプロジェクタの操作信号として利用することができるので、プロジェクタの操作パネルを設けずに済むことになり、構造が簡単なものとなっている。
【発明を実施するための最良の形態】
【０００９】
実施形態１．
図１は本発明の実施形態１に係るプロジェクタシステムの説明図である。このプロジェクタシステムは、キーボード一体型プロジェクタ１０と、パーソナルコンピュータ（以下、ＰＣという）４０とから構成されている。キーボード一体型プロジェクタ１０は、キーボード１１が搭載された筐体１２内にプロジェクタ２０が収納されている。ＰＣ３０は映像信号等をキーボード一体型プロジェクタ１０に送信し、プロジェクタ２０がその映像信号等を受信し、例えば筐体１２の前側（操作者から見た場合奥側）に設けられたプロジェクタ２０の投射光学系（図３参照）によりスクリーン５０に映像を投射することにより、ユーザーはキーボード１１を操作しながらモニタの場合と同様に映像を見ることができる。このキーボード一体型プロジェクタ１０及びＰＣ３０の詳細を図２及び図３に基づいて説明する。
【００１０】
図２は図１のプロジェクタシステムの構成を示したブロック図である。
キーボード一体型プロジェクタ１０は、キーボード１１、通信回路１３及びプロジェクタ２０から構成されている。キーボード１１のキー信号は通信回路１３を介して外部のＰＣ４０に送信される。通信回路１３には無線信号送信器１４が設けられており、また、プロジェクタ２０には無線信号受信器２１が設けられている。ＰＣ３４からの信号（映像信号、操作信号）は、通信回路１３の無線信号送信器１４からプロジェクタ２０無線信号受信器２１に送信されてプロジェクタ２０内に取り込まれる。ＰＣ４０は、ＣＰＵ４１、ＲＯＭ４２、ＲＡＭ４３、ハードディスク４４、通信回路４５及びプロジェクタドライバ４６を備えている。この実施形態において、ハードディスク４４には、例えば映像信号が保存されており、プロジェクタドライバ４６は、キーボード１１からのキー信号をプロジェクタ用の操作信号に変換するための処理等をするものであり、キーボード１１は、通常の使用状態ではＰＣ４０の操作手段と機能するが、ＰＣ４０に所定のキー信号を送信した後には、プロジェクタドライバ４６が機能してプロジェクタ２０の操作手段として機能することになる。なお、このプロジェクタドライバ４６は、マイクロプロセッサ等により構成されるが、図示のＣＰＵ４１によりその機能を実現してもよい。
【００１１】
図３はプロジェクタの構成を示すブロック図である。このプロジェクタ２０は、光源（例えばＬＥＤ）２２と、光源２２から射出した光を変調する空間光変調装置としての３枚の液晶ライトバルブ２３Ｒ，２３Ｇ，２３Ｂ（これらを総称するときは、液晶ライトバルブ２３という）と、液晶ライトバルブ２３から射出する変調光をスクリーンに拡大投写する投射光学系２４（但し、図３においては投射レンズが図示され、他の構成は省略されている）と、液晶ライトバルブ２３を駆動する液晶ライトバルブ駆動部２５とを備えている。
【００１２】
液晶ライトバルブ２３には、複数の画素（図示せず）がマトリクス状に形成されており、液晶ライトバルブ駆動部２５が、外部のＰＣ４０から供給される映像信号に基づいて各画素の透過率を調整することにより映像信号に応じた映像を描画しそれによる変調光をスクリーンに表示させる。また、投射光学系２４には、投射光の焦点を変更可能なフォーカス機構、投射光の拡大率を変更可能なズーム機構等が備えられている（何れも図示を省略）。なお、液晶ライトバルブ２３は、上記のように、３枚の液晶ライトバルブ２３Ｒ，２３Ｇ，２３Ｂから構成され、Ｒ（赤）、Ｇ（緑），Ｂ（青）の各色光を変調する。光源２２から射出した光は、図示しない色光分離光学系によって各色光に分離された後、対応する液晶ライトバルブ２３Ｒ，２３Ｇ，２３Ｂによって変調され、合成光学系（図示せず。例えばクロスダイクロックプリズム）により合成された後に、投射光学系２４により拡大投写される。
【００１３】
プロジェクタ１は、更に、ＣＰＵ２６、ＲＯＭ２７及びＲＡＭ２８を備えており、これらはプロジェクタ２０の動作を統括制御する制御部として機能する。また、プロジェクタ２０は、無線信号受信器２１が受信した映像信号、操作信号等の内、映像信号を取り込む映像信号入力部２９、映像信号処理部３０を備えている。映像信号入力部２９は、無線信号受信器２１からの映像信号を取り込んで、それが例えばアナログの映像信号の場合にはデジタルの映像信号に変換する等、入力映像信号に対応した各種信号処理を施して映像信号処理部３０に出力する。映像信号処理部３０は、例えばマイクロプロセッサ（例えばＤＳＰ）等の信号処理回路から構成され、それに内蔵した記憶部に格納された制御プログラムを実行することにより後述の各種の処理をする。また、映像信号処理部３０にはフレームメモリ（図示せず）が接続されており、映像信号入力部２９からの映像信号を１フレーム（１映像画面）毎にフレームメモリに記憶させるとともに、フレームメモリに記憶された映像（以下、フレーム映像ともいう）を読み出す機能を有し、また、映像信号の解像度を液晶ライトバルブ２３の解像度に合わせる解像度変換処理等の各種の信号処理を施す。また、この映像信号処理部３０はＯＳＤ処理をする機能を備えており、ＣＰＵ２６からの制御命令に従って、プロジェクタ２０の各種状態を表す文字や記号、画質調整を行う際のメニュー映像のＯＳＤ映像信号をフレーム映像信号と合成する処理を行う。具体的には、ＣＰＵ２６が例えばＲＯＭ２７からメニュー映像データ等を読み出して映像信号処理部３０に供給し、映像信号処理部３０はそのメニュー映像データによりＯＳＤ映像信号を生成し、このＯＳＤ映像信号をフレーム映像信号と合成する。ＯＳＤ処理をしない場合には、フレーム映像信号がそのまま出力されることになる。上記のＯＳＤ処理によりメニュー画像が表示されると、ユーザーはメニュー画像に従ってプロジェクタの各部の機能を設定又は調整することになる。
【００１４】
また、映像信号処理部３０は、台形歪み補正処理の機能をもっており、スクリーンに対してキーボード一体型プロジェクタ１０を傾けた状態で投写（あおり投写）した場合に生じる台形歪を抑制するために、入力される映像信号の補正を行い、補正した映像信号を液晶ライトバルブ駆動部２５に出力する。なお、台形歪が生じていない場合には、前記の補正を行わず、映像信号処理部から出力される映像信号がそのまま液晶ライトバルブ駆動部２５に供給され、液晶ライトバルブ駆動部２５は、入力される映像信号に従って液晶ライトバルブ２３を駆動する。
【００１５】
なお、プロジェクタの操作パネルには、通常、電源キー、台形補正キー、手元照明・角度変更キー等の各種のキーが設けられているが、本実施形態のプロジェクタ２０には操作パネルは設けられておらず、そのキーの機能を後述のようにキーボード１１が果たすことになる。
【００１６】
次に、本実施形態に係るプロジェクタシステムの動作を説明する。
図４はキーボード一体型プロジェクタ１０とＰＣ４０との間の信号の授受の過程を示したフローチャートである。例えばキーボード１１をプロジェクタの操作キーとして機能させるために予め設定されているキー（例えば複数のキーの組合せ）を操作すると、そのキー信号は、通信回路１３を経てＰＣ４０の通信回路４５に送信される（Ｓ１１）。通信回路４５が受信されたキー信号はＣＰＵ４１により読み込まれて、そのキー信号がプロジェクタ切替え用の操作信号であるかどうかを判定する（Ｓ１２）。プロジェクタ切替え用の操作信号ではない場合には、通常のキーボードのキー信号として処理する。そのキー信号がプロジェクタ切替え用の操作信号であるという判定をした場合には、例えばＲＡＭ４３に設置されているプロジェクタフラグをセットし（Ｓ１３）、このフラグがセットされている状態においては、プロジェクタドライバ４６が機能し、キーボードからのキー信号を例えばＲＯＭ４４又はプロジェクタドライバ４６に予め設定してあるテーブルを参照して、プロジェクタの操作信号に変換する処理を行う状態にする。
【００１７】
その後、キーボード１１が操作されてキー信号が通信回路１３を経てＰＣ４０の通信回路４５に送信されると、通信回路４５が受信したキー信号はプロジェクタドライバ４６により読み込まれて上記のテーブルを参照して解析される。そして、その解析結果に応じた処理がなされる。例えばキー信号が電源キー、台形補正キー、手元照明・角度変更キー等の何れかの操作信号に相当する場合には、該当する操作信号を通信回路４５を介してキーボード一体型プロジェクタ１０側に送信する。キーボード一体型プロジェクタ１０の通信回路１３がその操作信号を受信すると、ＣＰＵ２６がその操作信号を読み込んで例えば映像信号処理部３０に対してその操作信号に応じた制御信号（指令）を供給することで、映像信号処理部３０はその制御信号に応じた処理をする。また、キーボード一体型プロジェクタ１０側からＰＣ４０側に対して、ハードディスク４４に格納されている映像信号を送信するようなキー信号が供給された場合には、プロジェクタドライバ４６は、ハードディスク４４の映像信号を読み込んで通信回路４５を介してキーボード一体型プロジェクタ１０側に送信する。キーボード一体型プロジェクタ１０の通信回路１３は、映像信号を受信すると、その映像信号を無線信号送信器１４を介してプロジェクタ２０の無線信号受信器２１に送信する。
【００１８】
無線信号受信器２１はその映像信号を映像信号入力部２９に送信する。映像信号入力部２９ではその映像信号を、それが例えばアナログの映像信号の場合にはデジタルの映像信号に変換する等、入力映像信号に対応した各種信号処理を施して映像信号処理部３０に出力する。映像信号処理部３０は、上述の各種の信号処理をして液晶ライトバルブ駆動部２５に出力する。液晶ライトバルブ駆動部２５は映像信号に基づいて液晶ライトバルブ２３を駆動し、各画素の透過率を調整することにより映像信号に応じた映像を描画し、それによる変調光を投射光学系２４により拡大してスクリーンに投射することにより映像が表示される。そして、上記の処理（Ｓ１４）〜（Ｓ１７）が繰り返されて、プロジェクタが適宜制御される。最後に、キーボード１１をプロジェクタ２０の操作キーとして機能させることを解除するために予め設定されているキー（例えば複数のキーの組合せ）が操作されると、そのキー信号は、通信回路１３を経てＰＣ４０の通信回路４５に送信される（Ｓ１８）。通信回路４５が受信したキー信号はプロジェクタドライバ４６により読み込まれて、そのキー信号が解除用の操作信号であるかどうかを判定し、解除用の操作信号であると判定した場合にはプロジェクタフラグをリセットする（Ｓ１９）。これにより以後は、キーボード１１からのキー信号は通常のキー信号として扱われることになる。
【００１９】
以上のように本実施形態においては、例えばプロジェクタ２０をパーソナルコンピュータ４０のモニタの代替として使用した場合であっても、プロジェクタ２０がキーボード１１の筐体１２内に収納されているので、従来のように、キーボード１１とスクリーン５０の間隔が狭くなるような事態は発生せず、また、キーボード１１を操作した際にプロジェクタ２０に接触するような事態も発生せず、投影結果に悪影響が発生するおそれがなくなっている。更に、プロジェクタをキーボードの筐体内に収納したので、プロジェクタとパーソナルコンピュータとを繋ぐ配線が不要になり、ユーザーによる配線の煩わしさが無くなっている。
【００２０】
また、筐体１２とプロジェクタ２０との間を無線に信号を授受するようにしたので、例えばプロジェクタ２０を筐体１２から外して任意の位置に配置して投射する際に信号線を配慮しなくて済むので、扱いが簡単なものとなっている。
【００２１】
また、キーボード１１のキー信号をプロジェクタ２０の操作信号として利用することができるので、プロジェクタ２０の操作パネルを設けずに済むことになり、構造が簡単なものとなっている。
【００２２】
実施形態２．
図５は本発明の実施形態２に係るプロジェクタシステムの説明図である。上記の実施形態１においては、映像を投射するのにスクリーン５０を用いた例について説明したが、図示のように、ＰＣ４００の筐体の側壁をスクリーンとして用いてもよい。
【００２３】
実施形態３．
図６は本発明の実施形態３に係るキーボード一体型プロジェクタの説明図である。同図はキーボード一体型プロジェクタの側面図であり、キーボード１１の筐体１２に凹部１２ａを設けておいて、プロジェクタ２０の筐体３１がそれにはまり込むような形態にしておくものとする。また、換言すると、プロジェクタ２０の筐体３１を収納できるような凹部１２ａをキーボード１１の筐体１２に設けておいて、プロジェクタ２０の筐体３１をその凹部１２ａに収納する。なお、プロジェクタの筐体３１をその凹部１２ａに収納した後に固着（結合）する際の手段は、公知の適当な固着手段（図示せず）によってなされるものとする。
【００２４】
キーボード１１の筐体１２をこのよう形態にすることにより、通常のキーボードとして使用するときにはプロジェクタ２０の存在を気にしなくて済み、プロジェクタ２０が筐体１２に収納された場合と同様な効果が得られ、また、プロジェクタ２０の筐体３１を筐体１２を取り外して利用することもできる。このとき、プロジェクタ２０とキーボードの筐体１２側とは無線により信号の授受が行われるので、通信可能な範囲で任意の位置に設置して映像を投射することができる。
【００２５】
実施形態４．
なお、上記の説明においては、液晶ライトバルブ１２を用いて、光源から射出された光を変調したが、本発明はこれに限らず、他の空間光変調器を用いても良く、例えば、半導体基板の上に敷き詰められた微小面積のミラーの傾きを映像データに基づいて制御することによって映像を投写するＤＭＤ（Digital Micro Mirror Device：登録商標）を用いてもよい。また、上記の説明においてはキーボードの筐体１２にプロジェクタ２０を収納する例等について説明したが、キーボードに代えて、例えばノートパソコンの筐体にプロジェクタを収納したり、或いはノートパソコンと着脱可能に一体化するようにしてもよい。また、キーボード一体型プロジェクタ１０とＰＣ４０との間の信号の授受、及びキーボード１１と通信回路１３との間の信号の授受についても無線で行うようにしてもよい。
【図面の簡単な説明】
【００２６】
【図１】実施形態１に係るプロジェクタシステムの説明図。
【図２】図１のプロジェクタシステムの構成を示したブロック図。
【図３】プロジェクタの構成を示すブロック図。
【図４】キーボード一体型プロジェクタとＰＣとの間の信号の授受の過程を示したフローチャート。
【図５】実施形態２に係るプロジェクタシステムの説明図。
【図６】実施形態３に係るキーボード一体型プロジェクタの説明図。
【符号の説明】
【００２７】
１０  キーボード一体型プロジェクタ、１１  キーボード、１２  筐体、１２ａ  凹部、１３  通信回路、１４  無線信号送信器、２０  プロジェクタ、２１  無線信号受信器、２２  光源、２３  液晶ライトバルブ、２４  投射光学系、２５  液晶ライトバルブ駆動部、２９  映像信号入力部、３０  映像信号処理部、３１  筐体、４０  パーソナルコンピュータ、４４  ハードディスク、４５  通信回路、４６  プロジェクタドライバ、５０  スクリーン。
【図１】
2008152340.tif 000003
【図２】
2008152340.tif 000004
【図３】
2008152340.tif 000005
【図４】
2008152340.tif 000006
【図５】
2008152340.tif 000007
【図６】
2008152340.tif 000008